(57)【要約】【課題】紫外線照射処理が必要な領域に適切に紫外線を照射し、光の利用効率を向上させることができる紫外線処理装置を提供する。【解決手段】紫外線処理装置１００は、複数の紫外線発光素子がアレイ状に配置された光源部（光照射部）１０と、被処理物体（ワークＷ）が保持されて、酸素を含む処理気体の雰囲気中で光源部から発せられた紫外線が照射される処理領域を有する処理部２０と、を備える。また、紫外線処理装置１００は、被処理物体の設計データに基づいて、上記処理領域を特定する領域特定部と、複数の紫外線発光素子の出力を個別に制御し、領域特定部により特定された処理領域に紫外線を照射する光源制御部と、被処理物体の表面に沿って処理気体を流す気体給排部と、を備え、領域特定部は、気体給排部により流された処理気体が、被処理物体が保持された領域に到達する前の領域を処理領域として特定する。【選択図】      図１
2019197931.tif 000002
【特許請求の範囲】
【請求項１】
複数の紫外線発光素子がアレイ状に配置された光源部と、
被処理物体が保持されて、酸素を含む処理気体の雰囲気中で前記光源部から発せられた紫外線が照射される処理領域を有する処理部と、
前記被処理物体の設計データに基づいて、前記処理領域を特定する領域特定部と、
前記複数の紫外線発光素子の出力を個別に制御し、前記領域特定部により特定された前記処理領域に紫外線を照射する光源制御部と、
前記被処理物体の表面に沿って前記処理気体を流す気体給排部と、を備え、
前記領域特定部は、前記気体給排部により流された前記処理気体が、前記被処理物体が保持された領域に到達する前の領域を前記処理領域として特定することを特徴とする紫外線処理装置。
【請求項２】
前記光源部と前記処理部において保持された前記被処理物体との位置合わせを行うアライメント機構をさらに備えることを特徴とする請求項１に記載の紫外線処理装置。
【請求項３】
前記光源部が前記アライメント機構を有し、
前記アライメント機構は、前記複数の紫外線発光素子と前記被処理物体との位置合わせを行うことを特徴とする請求項２に記載の紫外線処理装置。
【発明の詳細な説明】
【技術分野】
【０００１】
本発明は、紫外線をワークに照射する紫外線照射処理を行う紫外線処理装置に関する。
【背景技術】
【０００２】
半導体集積回路素子等の半導体素子を搭載するための配線基板としては、絶縁層と導電層（配線層）とが交互に積層されてなる多層配線基板が知られている。
多層配線基板の製造工程には、絶縁層が導電層の上に積層されてなる配線基板材料（以下、単に「基板」という。）に、ドリル加工やレーザ加工を施すことによって絶縁層や導電層の一部を除去し、ビアホールを形成する工程がある。このとき、形成されたビアホールの底部表面などには、絶縁層や導電層を構成する材料に起因するスミア（残渣）が生じる。このスミアが付着したままの状態でビアホール内にめっき処理を施すと、配線層間の接続不良を引き起こすため、スミアを除去するデスミア処理を行う必要がある。
ビアホールのデスミア処理方法として、従来、基板に紫外線を照射する方法が提案されている。例えば、特許文献１には、酸素やオゾンを含むガス（処理用ガス）の雰囲気下で、ビアホールが形成された基板に紫外線を照射するデスミア処理方法が開示されている。
【先行技術文献】
【特許文献】
【０００３】
【特許文献１】特開２０１５−４１７２８号公報
【発明の概要】
【発明が解決しようとする課題】
【０００４】
上記特許文献１に記載の技術では、紫外線を基板全体に照射している。そのため、ビアホールが形成されていない領域にまで紫外線を照射することになり、光の利用効率が低下する。また、ビアホールが形成されていない基板表面に紫外線が過剰に照射されると、基板表面において不所望のアッシングを生じてしまう場合もある。
そこで、本発明は、紫外線照射処理が必要な領域に適切に紫外線を照射し、光の利用効率を向上させることができる紫外線処理装置を提供することを課題としている。
【課題を解決するための手段】
【０００５】
上記課題を解決するために、本発明に係る紫外線処理装置の一態様は、複数の紫外線発光素子がアレイ状に配置された光源部と、被処理物体が保持されて、酸素を含む処理気体の雰囲気中で前記光源部から発せられた紫外線が照射される処理領域を有する処理部と、前記被処理物体の設計データに基づいて、前記処理領域を特定する領域特定部と、前記複数の紫外線発光素子の出力を個別に制御し、前記領域特定部により特定された前記処理領域に紫外線を照射する光源制御部と、前記被処理物体の表面に沿って前記処理気体を流す気体給排部と、を備え、前記領域特定部は、前記気体給排部により流された前記処理気体が、前記被処理物体が保持された領域に到達する前の領域を前記処理領域として特定する。
【０００６】
ここで、「処理気体」とは、被処理物体を処理する気体であって、紫外線が照射されることで処理能力を得る気体である。代表例としては、酸素がある。酸素に紫外線が照射されると、酸素ラジカル（活性種）やオゾンが発生する。
本発明に係る紫外線処理装置によれば、個別に出力を制御可能な複数の紫外線発光素子がアレイ状に配置された光源部を用いて、紫外線照射処理が必要な領域に適切に紫外線を照射することができるので、光の利用効率を向上させることができる。また、紫外線照射処理が必要な領域を、被処理物体の設計データ（例えば、ＣＡＤデータ）に基づいて特定するので、さまざまな設計（種類）の被処理物体について、適切な紫外線照射処理が可能である。
また、紫外線が照射されて処理能力を得た処理気体を、被処理物体が保持された領域へ供給することができる。したがって、被処理物体への紫外線照射処理を効果的に行うことが可能となる。
【０００７】
さらに、上記の紫外線処理装置において、前記光源部と前記処理部において保持された前記被処理物体との位置合わせを行うアライメント機構をさらに備えてもよい。この場合、被処理物体の設計データに基づいて特定された処理領域に対応する紫外線発光素子を容易且つ適切に特定することができ、紫外線照射処理が必要な処理領域に対して確実に紫外線を照射することができる。
また、上記の紫外線処理装置において、前記光源部が前記アライメント機構を有し、前記アライメント機構は、前記複数の紫外線発光素子と前記被処理物体との位置合わせを行ってもよい。この場合、被処理物体における紫外線照射処理が必要な処理領域に対して確実に紫外線を照射することができる。
【発明の効果】
【０００８】
本発明によれば、紫外線照射処理が必要な領域に適切に紫外線を照射し、光の利用効率を向上させることができる。
【図面の簡単な説明】
【０００９】
【図１】本実施形態の紫外線処理装置の構成例を示す図である。
【図２】光源の構成例を示す図である。
【図３】アライメント機構の構成例である。
【図４】紫外線照射処理を説明する図である。
【図５】制御部の構成を示すブロック図である。
【図６】多層配線基板の製造プロセスの一部を示す図である。
【発明を実施するための形態】
【００１０】
以下、本発明の実施の形態を図面に基づいて説明する。
図１は、本実施形態の紫外線処理装置１００の構成例を示す図である。本実施形態では、紫外線処理装置１００の一例として、例えばフォトデスミア装置への適用例について説明する。フォトデスミア装置は、ある一定温度に加熱された基板に対し、酸素を含む雰囲気下で紫外線を照射することにより、基板に形成されたビアホール内のスミアを除去する装置である。
（紫外線処理装置の構成）
図１に示すように、紫外線処理装置１００は、光源部である光照射部１０と、被処理物体である基板（ワーク）Ｗを保持する処理部２０とを備える。光照射部１０は、デスミア処理に必要な、例えば波長２２０ｎｍ以下、好ましくは波長１９０ｎｍ以下の紫外線（真空紫外線）を放射する光源１１を内部に収納し、処理部２０が保持するワークＷに光源１１からの紫外光を照射する。ここで、光源１１が放射する紫外線の波長を２２０ｎｍ以下としたのは、紫外線の波長が２２０ｎｍを超える場合には、樹脂などの有機物質に起因するスミアを分解除去することが困難となるためである。
【００１１】
光源１１は、例えば上記紫外線を放射するＬＥＤやＬＤなどの小型の発光素子（紫外線発光素子）を、複数縦横できるだけ密になるようにアレイ状に並べた構成を有し、複数の発光素子を選択的に点灯制御可能なものを用いることができる。図２に光源１１の構成例を示す。光源１１は、発光ダイオードを組み込んだ発光ブロック１１（１，１）を横方向にｎ個、縦方向にｍ個密に並べた面状発光体である。並べる個数ｎ，ｍは単一の素子の大きさと、所望の発光面積から決定される。光源１１の大きさは、ワークＷの大きさを十分に覆う大きさであってもよいし、ワークＷの大きさよりも小さくてもよい。例えば、ワークＷの縦横１／２ずつの大きさ（ワークの面積の１／４の大きさ）の光源を使って、ワーク全体を４回に分けて照射してもよい。光源１１の発光ブロックには、個々の発光素子を点灯制御するための電源（Ｐ／Ｓ）３１が接続されている。電源３１は制御部４０により制御され、光源１１を構成する複数の発光素子の出力をそれぞれ個別に制御する。
なお、光源１１は、局所的に紫外線を放射するよう点灯制御可能な構成であればよく、ＬＥＤやＬＤなどの小型の発光素子を並べた構成に限定されない。例えば、プラズマディスプレイパネルは、微小な多数のセルが縦横平面状に形成され、個々のセルが放電により発光するものであるが、この原理を応用した光源を用いてもよい。この場合、個々のセルが一個の発光素子に相当する。
【００１２】
光照射部１０は、例えば紫外線を透過する石英ガラス等の窓部１７を下方に有する箱型形状のケーシング１２を備える。光源１１は、ケーシング１２の内部に光源支持体１８に担持されて配置されている。ケーシング１２の内部は、例えば窒素ガス等の不活性ガスが供給されることで、不活性ガス雰囲気に保たれている。光照射部１０内の光源１１の上方（背面）には、発光素子を冷却するための水冷配管１３とチラー３２とを含んで構成される冷却機構が設けられている。水冷配管１３はチラー３２に接続され、その内部には、例えば循環冷却水が流されている。
【００１３】
また、光照射部１０は、ワークＷに形成されているアライメントマークの位置を検出するアライメントカメラ１４を備え、アライメントカメラは光源１１と同様に光源支持体１８に担持されている。アライメントカメラ１４は、少なくとも２台設けられる。アライメントカメラ１４により検出されたアライメントマークの位置情報は、制御部４０に送られる。
処理部２０は、紫外線照射処理（デスミア処理）を行うワークＷを吸着して保持するステージ２１を備える。ステージ２１は、光照射部１０の窓部に対向して配置されている。ステージ２１には、ワークＷを吸着するために例えば吸着孔（不図示）が穿たれている。このステージ２１は、平坦性や吸着孔の精度を確保するため、例えばアルミニウム材で形成されている。
【００１４】
ステージ２１表面の外周部分には、外周溝２１ａが形成されている。この外周溝２１ａと光照射部１０の窓部との間にＯリング２２が挟まれることで、光照射部１０と処理部２０とが気密に組み付けられる。
ステージ２１には、ワークＷが載置されて光照射部１０からの紫外線が照射される処理領域をワークＷごと加熱するヒータ２３が組み込まれている。ヒータ２３としては、例えば、シースヒータやカートリッジヒータなどの加熱機構を用いることができる。ヒータ２３には、処理領域の加熱温度を所定の設定温度に制御するヒータ制御器（不図示）が接続されている。
ステージ２１の一方（図１の右側）の側縁部には、デスミア処理を行うための処理用ガス（処理気体）を処理領域に供給するための給気路２４が形成されている。給気路２４にはバルブ３３ａを介してガス供給部３３が接続されている。ガス供給部３３の動作は、制御部４０により制御される。また、ステージ２１の他方（図１の左側）の側縁部には、デスミア処理後の排ガスを含む処理用ガスをステージ部２１外に排気するための排気路２５が形成されている。排気路２５にはバルブ３３ｂを介して不図示の排気装置が接続されている。
【００１５】
ここで、処理用ガスとしては、例えば、酸素、オゾン、酸素とオゾンや水蒸気との混合ガス、これらのガスに不活性ガスなどを混合したガスなどが考えられる。処理用ガスは、ワークＷに対して光照射部１０からの紫外線が照射されている間、給気路２４を通って処理領域に供給され、排気路２５を通ってステージ部２１外部に排出される。すなわち、処理用ガスは、光照射部１０の窓部とワークＷとの間の処理領域を、図１の右から左へと流れていくこととなる。すなわち、給気路２４、排気路２５およびガス供給部３３によって、ワークＷの表面に沿って処理用ガスを流す気体給排部を構成している。
【００１６】
また、光照射部１０には、光源支持体１８をＸ方向（図１の左右方向）、Ｙ方向（図１の紙面垂直方向）方向、およびθ方向（ＸＹ平面に垂直なＺ軸の周りの回転方向）に移動可能な光源部移動機構３５がアーム３６を介して取り付けられている。光源部移動機構３５の動作は制御部４０により制御される。
光源部移動機構３５は、図３に示すように、光源支持体１８をＸ方向に移動可能なＸ方向移動機構３５ａと、光源支持体１８をＹ方向に移動可能なＹ方向移動機構３５ｂとを含んで構成されている。また、アーム３６は、Ｘ方向移動機構３５ａに取り付けられたアーム３６ａと、Ｙ方向移動機構３５ｂに取り付けられたアーム３６ｂとを含んで構成されている。なお、光源部移動機構３５は、Ｘ方向移動機構３５ａおよびＹ方向移動機構３５ｂとは別に、不図示のθ方向移動機構を含んで構成されていてもよいし、Ｘ方向移動機構３５ａまたはＹ方向移動機構３５ｂによって、光源支持体１８をθ方向に回転移動させる構成であってもよい。例えば、Ｘ方向移動機構３５ａによって光源支持体１８をθ方向に回転移動させる場合、Ｘ方向移動機構３５ａはＸ方向に延在する２本のアームを備え、その２本のアームを互いにＸ方向における逆方向に進退させることで、光源支持体１８をθ方向に回転移動させてもよい。
【００１７】
また、処理部２０には、処理部２０をＺ方向（図１の上下方向）に移動可能な処理部移動機構３４が取り付けられている。処理部移動機構３４の動作は制御部４０により制御される。処理部２０が処理部移動機構３４により下降すると、光照射部１０と処理部２０との間には隙間が形成され、この隙間を利用して、処理部２０に対してワークＷを出し入れすることが可能になる。デスミア処理を行う際には、処理部２０は処理部移動機構３４により上昇され、Ｏリング２２が光照射部１０の窓部と接触する。これにより処理部２０の、ワークＷを載置したステージ２１上の空間が密閉される。
【００１８】
（基板構造）
本実施形態において、紫外線処理装置１００の処理対象であるワークＷは、半導体集積回路素子等の半導体素子を搭載するための多層配線基板を製造する途中の中間的な配線基板材料である。多層配線基板は、例えばコア基板上に導電層（配線層）と絶縁層とを積層してなる。コア基板は、例えばガラスエポキシ樹脂などによって構成することができる。導電層（配線層）を構成する材料としては、例えば、銅、ニッケル、金などを用いることができる。
絶縁層は、例えば無機物質よりなる粒状フィラーが含有された樹脂などによって構成することができる。このような樹脂としては、例えば、エポキシ樹脂、ビスマレイミドトリアジン樹脂、ポリイミド樹脂、ポリエステル樹脂などを用いることができる。また、粒状フィラーを構成する材料としては、例えば、シリカ、アルミナ、マイカ、珪酸塩、硫酸バリウム、水酸化マグネシウム、酸化チタンなどを用いることができる。
【００１９】
多層配線基板においては、一の配線層と他の配線層とを電気的に接続するため、１つのもしくは複数の絶縁層を厚み方向に貫通して伸びるビアホールが形成される。多層配線基板の製造工程においては、図４に示すように、絶縁層６１と配線層６２とが積層されてなる配線基板材料に、例えばレーザ加工を施して絶縁層６１の一部を除去することにより、ビアホールＶＨが形成される。レーザ加工の方法としては、ＣＯ2レーザを用いる方法や、ＵＶレーザを用いる方法などを利用することができる。なお、ビアホールＶＨを形成する方法は、レーザ加工に限定されるものではなく、例えばドリル加工などを用いてもよい。
【００２０】
このようにしてビアホールＶＨを形成すると、ビアホールＶＨの底部や内壁面（サイドウォール）の表面、絶縁層６１の表面におけるビアホールＶＨの周辺領域には、絶縁層６１や配線層６２を構成する材料に起因するスミア（残渣）Ｓが付着する。このスミアＳが付着したままの状態でビアホールＶＨ内にメッキ処理を施すと、配線層間の接続不良を引き起こすことがある。このため、ビアホールＶＨが形成された配線基板材料（ワークＷ）に対して、ビアホールＶＨに付着したスミアＳを除去するデスミア処理が行われる。
ワークＷが図１に示すステージ２１上に載置される際には、ビアホールＶＨの開口が光照射部１０に向くように、即ちスミアＳに光源１１からの紫外線が照射されるように載置される。そして、本実施形態では、制御部４０により光源１１を構成する複数の発光素子を個別に点灯制御し、図４に示すように、ビアホールＶＨが形成されている領域のみに紫外線ＵＶを照射することでスミアＳを除去する。
【００２１】
（制御部の構成）
図１に示すように、制御部４０は、紫外線処理装置１００が設置される工場等の総合システム管理部２００に接続されている。制御部４０は、総合システム管理部２００から、ワークＷの設計データ（例えば、ＣＡＤ／ＣＡＭデータ）を入力する。なお、この設計データの中には、ワークＷに形成するビアホールの位置データやサイズデータも含まれている。また、この設計データは、他の装置、例えばビアホールを形成するレーザ加工装置にも送られ、ワークＷにビアホールを形成するためにも使用される。
【００２２】
図５は、制御部４０の具体的構成を示すブロック図である。
制御部４０は、設計データ入力部４１、データ変換部４２、光量入力部４３、記憶部４４、比較演算部４５および光源点灯制御部４６を備える。設計データ入力部４１は、総合システム管理部２００からのワークＷの設計データを入力し、入力した設計データをデータ変換部４２に出力する。データ変換部４２は、設計データ入力部４１から入力した設計データに基づいて、ビアホールが形成されている位置データを紫外線照射位置データに変換し、変換した紫外線照射位置データを光源点灯制御部４６に出力する。また、データ変換部４２は、設計データ入力部４１から入力した設計データに含まれるビアホールのサイズデータを比較演算部４５に出力する。
【００２３】
光量入力部４３は、紫外線処理装置１００の使用者が入力したビアホールのサイズデータと光量データとを入力し、これらを対応付けて記憶部４４に記憶する。ここで、ビアホールのサイズデータは、ビアホールの形状（アスペクト比）や径、深さに関するデータを含む。また、光量データは、紫外線の照射条件を示すデータであり、紫外線の照射強度や照射時間を含む。この光量データは、予め実験等により求める。なお、ビアホールのサイズデータと光量データとの組は、図５の実線に示すように使用者が制御部４０に直接入力してもよいし、図５の破線に示すように総合システム管理部２００を介して入力してもよい。
【００２４】
比較演算部４５は、記憶部４４を参照し、データ変換部４２から入力したビアホールのサイズデータに対応する光量データを取得する。そして、比較演算部４５は、取得した光量データを光源点灯制御部４６に出力する。
光源点灯制御部４６は、データ変換部４２から入力した紫外線照射位置データに基づいて、対応する位置の光源１１の発光素子を点灯させる。このとき、光源点灯制御部４６は、比較演算部４５から入力した光量データ（照射強度、照射時間）に基づいて光源１１から照射する光量を制御する。これにより、ワークＷ上のビアホールが形成された領域にのみ、ビアホールのサイズに応じた光量の紫外線が照射され、デスミア処理される。
なお、図５において、設計データ入力部４１およびデータ変換部４２が、処理部２０において紫外線が照射される処理領域を特定する領域特定部に対応し、比較演算部４５が、ビアホールのサイズに応じて照射条件を決定する照射条件決定部に対応し、光源点灯制御部４６および電源３１が、複数の紫外線発光素子の出力を個別に制御し、処理領域に紫外線を照射する光源制御部に対応している。
【００２５】
（製造プロセス）
図６は、多層配線基板の製造プロセスの一部を示す図である。
紫外線処理装置１００は、レーザ加工装置によりレーザビア加工を施した配線基板材料（ワークＷ）に対して、デスミア処理を行う。ここで、レーザビア加工は、総合システム管理部２００が備えるＣＡＤデータストレージ２０１が保持する設計データ（ＣＡＤ／ＣＡＭデータ）に基づいて行われる。レーザビア加工が施されたワークＷは、紫外線処理装置１００へ搬送される。このとき、紫外線処理装置１００の処理部２０は、処理部移動機構３４により下降した状態となっている。そして、処理部２０の外から、ワークＷが処理部２０の中に搬送され、ステージ２１の上に載せられる。ワークＷは、真空吸着などによりステージ２１に保持される。また、このとき総合システム管理部２００は、紫外線処理装置１００の制御部４０に対して、デスミア処理するワークＷの設計データ（ＣＡＤ／ＣＡＭデータ）を送信する。
【００２６】
ワークＷがステージ２１上に載置されると、ステージ２１に接続された真空ポンプが動作し、ワークＷが吸着され、ステージ２１上で固定される。処理部２０は処理部移動機構３４により上昇し、Ｏリング２２が光照射部１０の下面と接触して処理部２０の空間は密閉される。すると、制御部４０は、ガス供給部３３を動作させ、処理部２０の内部に処理用ガスを供給する。
処理用ガスの供給は連続でも断続でもよい。樹脂の酸化分解に必要な量が供給されれば、酸化剤不足のために分解反応が低下することはない。
【００２７】
次に、図３に示す光源支持体１８に設けられたアライメントカメラ１４ａ〜１４ｄは、ワークＷに形成されているアライメントマークＭａ〜Ｍｄをそれぞれ検出し、検出したアライメントカメラ１４ａ〜１４ｄの位置情報を制御部４０に送信する。制御部４０は、アライメントカメラ１４ａ〜１４ｄから取得したワークＷのアライメントマークＭａ〜Ｍｄの位置情報に基づき、光源１１の位置とワークＷの位置とが合うように、移動信号を光源部移動機構３５に送信する。この移動信号に基づき、光源部移動機構３５は、光源支持体１８をＸＹθ方向に移動させる。なお、制御部４０には、光源１１の各発光素子の位置情報が記憶されているものとする。アライメントカメラ１４ａ〜１４ｄおよび光源部移動機構３５によって、アライメント機構を構成している。
なお、本実施形態の紫外線照射装置１００では、供給ガスを密閉させるため、ステージ２１にシール機構が必要であり、シール部が窓部１７に接触した後は、ステージ２１を動かすことはできない。ステージ２１を動かすと、シール材が変形して供給ガスがリークしてしまうためである。
【００２８】
（点灯させる光源ブロックの位置データ）
ワークＷと光源１１との位置合せが終了すると、次いで、制御部４０は、光源１１を点灯させデスミア処理を開始する。具体的には、制御部４０は、図５の設計データ入力部４１において取り込んだワークＷの設計データを、データ変換部４２に送る。上述したように、設計データの中には、ビアホールがワークＷのどの位置に形成されているのかを示すビアホールの位置データが含まれている。データ変換部４２は、ビアホールの設計データからビアホールの位置データを抜き出し、ビアホールの形成位置が、光源１１を構成する個々の発光素子のどの位置に相当するかという、紫外線照射位置データに変換する。紫外線照射位置データは光源点灯制御部４６に送られる。
【００２９】
（点灯させる光源ブロックの光量データ）
また、データ変換部４２は、ビアホールの設計データからビアホールのサイズデータを抜き出し、抜き出したサイズデータを比較演算部４５に送る。比較演算部４５は、ビアホールのサイズデータをもとに、それに紐付けされた光量データを記憶部４４から呼び出す。そして、呼び出したビアホールのサイズに応じた光量データを光源点灯制御部４６に送る。
具体的に説明すると、基本ビアサイズに対応する必要光量データは、予め実験により求めることができる。
【００３０】
例えば、レーザ加工装置によって開口された口径１００μｍのブラインドビアホールを有する２５μｍの絶縁フィルムが形成されたガラスエポキシ基板に、ワーク面照度（ビア底ではなく、ビアのトップ面）１００ｍＷ／ｃｍ２の紫外線を適宜時間照射し、スミアを分解する。そして、ビア底の銅面が見えるまで紫外線を照射し、スミアの残留をＳＥＭ／ＥＤＸ（走査型電子顕微鏡／エネルギー分散型Ｘ線分光法）を用いて目視確認する（Ｃｕ面が現れるのでよくわかる。）。この方法により、ＥＤＸは開口１００μｍ程度のビアの中央部は精度良く元素の定量分析ができる。理由は電子ビーム、特性Ｘ線の検出器に対して、ビアの開口径が十分大きいからである。ビア底のＣ（カーボン量）を定量分析すると、銅に対するカーボン量は少なくなり、あるところでサチレーションする。この照射量を予め実験で求めておく。
ビアの底のエッジのスミア量を計測することは極めて難しいが、中央部の分析値をもとに算出することができる。例えば、開口径１００μｍのブラインドビアホールにおいて、ビア底の中央のスミアを除去するために１００秒の照射が必要であるとする場合、表１をもとに、ビア底のエッジ部の必要時間は  ８５／５７＝１．４９倍の時間、すなわち１４９秒の時間が必要であることがわかる。
【００３１】
【表１】
2019197931.tif 000003
【００３２】
なお、表１の数値は、基板表面照度を１００％としている。
上記表１のとおり、ビアの開口径が小さくなると到達率が低くなるため、照射時間は長くなる。
このように、光源点灯制御部４６は、ワークＷに形成されているビアホールに対応する位置の発光素子を、当該ビアホールのサイズに応じた光量（照射強度、照射時間）の条件で点灯させる信号を電源３１に送る。電源３１は、光源点灯制御部４６から送信された信号に基づいて、ビアホールが形成された位置の上にある発光素子のみを点灯する。
これにより、ワークＷのビアホールが形成されている領域にのみ紫外線が照射されデスミア処理がなされる。ワークＷのデスミア処理が終了すると、制御部４０は、電源３１を制御して光源１１の紫外線照射を停止すると共に、ガス供給部３３を制御して処理部２０への処理用ガスの供給を停止する。次に、制御部４０は、処理部移動機構３４により処理部２０を下降する。デスミア処理後のワークＷは、ステージ２１上から取り除かれて処理部２０の外に搬出される。
【００３３】
デスミア処理後のワークＷは、超音波洗浄装置へ搬送され、物理的振動処理として超音波振動処理（超音波洗浄（ＵＳ洗浄）処理）が施される。超音波振動処理における超音波の周波数は、例えば２０ｋＨｚ以上７０ｋＨｚ以下であることが好ましい。超音波の周波数が７０ｋＨｚを超えると、無機物質に起因するスミアを破壊して配線基板材料から離脱させることが困難となるためである。
このような超音波振動処理においては、超音波の振動媒体として、水などの液体および空気などの気体を用いることができる。
具体的に説明すると、振動媒体として水を用いる場合には、配線基板材料を、例えば水中に浸漬し、この状態で、当該水を超音波振動させることにより、超音波振動処理を行うことができる。超音波の振動媒体として液体を用いる場合には、超音波振動処理の処理時間は、例えば１０秒間〜６００秒間である。
【００３４】
また、振動媒体として空気を用いる場合には、圧縮空気を超音波振動させながら配線基板材料に吹きつけることにより、超音波振動処理を行うことができる。ここで、圧縮空気の圧力は、例えば０．２ＭＰａ以上であることが好ましい。また、圧縮空気による超音波振動処理の処理時間は、例えば５秒間〜６０秒間である。
上記の紫外線照射処理工程および物理的振動処理工程は、この順でそれぞれ１回ずつ行ってもよいが、紫外線照射処理工程および物理的振動処理工程を交互に繰り返して行うことが好ましい。ここで、紫外線照射処理工程および物理的振動処理工程の繰り返し回数は、各紫外線照射処理工程における紫外線の照射時間などを考慮して適宜設定されるが、例えば１回〜５回である。
【００３５】
以上のように、紫外線照射処理において波長２２０ｎｍ以下の紫外線を、酸素を含む処理気体に照射することによりオゾンや活性酸素が生じ、有機物質に起因するスミアＳは、オゾンや活性酸素によって分解されてガス化される。その結果、有機物質に起因するスミアＳは、その大部分が除去される。このとき、無機物質に起因するスミアＳは、有機物質に起因するスミアＳの除去により露出し、さらに、紫外線が照射されることによって脆いものとなる。
【００３６】
そして、その状態で物理的振動処理を施すことにより、露出した無機物質に起因するスミアＳや有機物質に起因するスミアＳの残部は、振動による機械的作用によって破壊され、除去される。或いは、無機物質に起因するスミアＳの収縮や、各スミアＳに紫外線を照射したときに発生する熱膨張の差などによって、スミア間にわずかな隙間が生じ、無機物質に起因するスミアＳは、物理的振動処理を施すことにより配線基板材料から離脱する。その結果、配線基板材料から無機物質に起因するスミアＳと、有機物質に起因するスミアＳとが完全に除去される。
このように、紫外線照射処理と物理的振動処理とを行うフォトデスミア処理によれば、廃液処理が必要となる薬品を用いずにデスミア処理することができる。なお、フォトデスミア処理に関する処理情報は、総合システム管理部２００が備える照射データストレージ２０２に記憶される。
【００３７】
フォトデスミア処理が完了すると、必要に応じてマスクピーラー装置による保護膜を除去する処理が行われ、その後、ワークＷ表面にシード層を形成する処理が行われる。その後は、シード層の上にレジストが塗布された後、露光処理、現像処理を経て、シード層の上にレジストパターンが形成される。そして、ビアホール内からレジストパターンの開口部にかけて、めっき層が形成された後、レジストが剥離され、めっき層をマスクにしてシード層が除去（シードエッチング）される。
以上のように、本実施形態における紫外線処理装置１００は、比較的小さく、独立して点灯と消灯との切替制御が可能な発光素子をマトリクス状に並べた光源１１により、紫外線照射処理が必要な箇所に、必要な光量（強度、時間）だけ紫外線を照射することができる。
【００３８】
一方、光源としてエキシマランプのような紫外線ランプを用いた紫外線処理装置（デスミア処理装置）では、ビアホールが形成された基板全体に紫外線を照射することが想定されている。デスミア処理装置において、紫外線を基板全体に照射する理由は次の通りである。基板には、ビアホールが形成されている領域と形成されていない領域とがあり、それらの領域の位置は、基板に形成する回路パターンの設計により異なる。紫外線を基板全体に照射するようにしておけば、ビアホールが形成されている領域がどのような位置にあっても処理ができる。つまり、さまざまな設計（種類）の基板について、デスミア処理を行うことができる。
【００３９】
しかしながら、基板全体に光を照射する方法については、次のような問題が考えられる。基板上のビアホールが形成されていない領域には、本来、紫外線の照射は不要である。そのため、デスミア処理装置において、基板全体に紫外線を照射する構成にすると、ビアホールが形成されていない領域にまで紫外線を照射することになり、光の利用効率が低下する。特に、近年、基板は大型化しており、大型の基板でビアホールの形成されている領域の面積が小さい場合、光の利用効率は著しく低下する。さらに、ビアホールが形成されていない領域に紫外線が過剰に照射されると、その表面において不所望のアッシングを生じてしまう場合がある。
【００４０】
また、一枚の基板に形成されるビアホールのサイズ（形状、径、深さ）は、一種類ではなく多種類に及ぶ場合がある。ビアホールのサイズが異なると、ビアホールに生じるスミアの量も異なるため、デスミア処理を適切に行うための処理条件（紫外線の照射光量）も異なることになる。しかしながら、基板全体に一様に紫外線を照射する構成の場合、基板の場所によって処理条件を変化させることは困難である。このように一枚の基板に複数のサイズのビアホールが存在する場合、処理不足のビアホールが残らないように、処理に必要な光量が最も多いビアホールに処理条件を合わせて基板全体を照射することになる。そのため、必ず紫外線の照射量が過剰になる領域が生じてしまう。
【００４１】
これに対して、本実施形態では、紫外線処理装置１００は、ビアホールが形成された領域にのみ紫外線を照射することができるので、光の利用効率を上げることができる。その結果、光源１１の寿命を延ばすことができる。また、紫外線処理装置１００は、ビアホールが形成されていない領域には紫外線を照射しないようにすることができるので、不所望のアッシングを防ぐことができる。
一般的な露光装置の場合、光学系が固定されている。そして、マスクパターンを使用してワーク上に露光部、非露光部を作っておき、光をシャッターで遮り、ワークを移動させた後、シャッターを開け露光する。次にシャッターを閉じてワークの次の露光エリアに合わさるようにステージを移動させる。次にシャッターを開けて・・・という動作を順次繰り返して露光する。露光から露光までの時間は、光源は点灯動作しており、また、光の制御はマスクで遮蔽しているだけなので、実際にレジストの露光に使用される光はごく僅かである。つまり、ワークには必要な箇所にのみ光を当てることができるが、不必要な箇所にも光のパワーが使われてしまう。
【００４２】
これに対して、本実施形態では、光源１１を構成する複数の発光素子の出力をそれぞれ個別に制御するので、不必要な箇所に光のパワーが使われることを防止し、光の利用効率を上げることができる。
さらに、紫外線処理装置１００は、ビアホールのサイズに合わせて、必要な光量の紫外線を、必要な領域に照射することができる。したがって、一枚の基板にサイズの異なるビアホールが形成されていたとしても、それぞれのビアホールに対して、適切な光量の紫外線を照射することができる。その結果、必要以上の光量を照射する領域が生じることを防ぐことができる。
【００４３】
紫外線処理装置１００は、ワークＷに形成するビアホールの位置データやサイズデータが含まれる設計データ（ＣＡＤ／ＣＡＭデータ）を取得し、取得した設計データに基づいて、ビアホールが形成されている位置データを紫外線照射位置データに変換する。そして、紫外線処理装置１００は、変換した紫外線照射位置データに基づいて、光源１１の対応する位置の発光素子を点灯させる。このように、ワークＷの設計データを用いることで、ワークＷごとにビアホールが形成されている位置が異なる場合であっても、ビアホールが形成されている位置、即ち、紫外線照射処理の必要箇所を適切に特定することができる。
【００４４】
また、個別に出力を制御可能な複数の発光素子がアレイ状に配列された光源１１を用いることで、必要箇所のみを選択的に発光させる点灯制御を容易に行うことができる。したがって、例えばマスク等を用いることなく、必要箇所のみにピンポイントで紫外線を照射することができる。また、必要最小限の紫外線を照射することができるため、光源１１の冷却機構を小さくすることができる。
さらに、紫外線処理装置１００は、ビアホールが形成された領域に紫外線を照射する場合、ビアホールのサイズに応じた光量の紫外線を照射する。紫外線処理装置１００は、ビアホールのサイズ（直径、深さ、形状など）に対して予め実験等で求めた適切な光量（照射強度や照射時間）を、ビアホールのサイズデータと対応付けて記憶しておき、取得した設計データに含まれるビアホールのサイズデータに基づいて、ビアホールのサイズに応じた光量を取得する。このように、ワークＷの設計データを用いることで、ワークＷに形成されたビアホールのサイズを適切に把握することができる。したがって、例えば、１枚のワークＷ上に径の異なるビアホールが混載されている場合や、ＣＯ2レーザを用いて形成されたＣＯ2ビアとＵＶレーザを用いて形成されたレーザビアとが混載されている場合などであっても、各ビアホールにそれぞれ適した処理条件で紫外線照射処理を行うことができる。
【００４５】
また、紫外線処理装置１００は、光源１１とワークＷとの位置合わせを行うためのアライメント機構を備える。具体的には、紫外線処理装置１００は、光照射部１０に設けられたアライメントカメラ１４によって、ワークＷに形成されたアライメントマークＭを検出することで、ワークＷの位置を読み取る。そして、紫外線処理装置１００は、光源１１に対するワークＷの位置ずれ量に応じて、光源１１をワークＷに対して相対的に移動し、光源１１とワークＷとの位置合わせを行う。このように、アライメント機構により光源１１とワークＷとの位置合わせを行うことで、ワークＷの設計データをもとに演算された紫外線照射位置データをもとに光線１１の点灯制御を行った場合に、所望の位置に適切に紫外線を照射することができる。
【００４６】
（変形例）
上記実施形態においては、光源１１とワークＷとの位置合わせにおいて、光源支持体１８をＸＹθ方向に移動させる場合について説明したが、処理部２０またはステージ２１をＸＹθ方向に移動させることで光源１１とワークＷとの位置合わせを行ってもよい。また、この位置合わせにおいては、ワークＷに形成されたアライメントマークを検出して行う、高精度の位置合わせを例に示した。しかしながら、ワークＷをステージ２１に設けた複数のピンに押し当てて位置合わせを行うような方法を採用してもよい。
また、上記実施形態においては、ビアホールが形成された領域を紫外線照射処理の必要領域とする場合について説明したが、これに限定されるものではない。例えば、紫外線照射処理の必要領域は、ビアホール以外のワークＷ表面であってもよいし、ワークＷの外側の領域（例えば、処理用ガスが、ワークＷが保持された領域に到達する前の準備領域）であってもよいし、これらの組合せであってもよい。
【００４７】
紫外線照射処理の必要領域が、ビアホールが形成された領域とビアホールが形成されていないワークＷ表面とを含む場合、ビアホールが形成されていないワークＷ表面には、ビアホールとは異なるドーズ（インパクト）で紫外線を照射してもよい。つまり、ワークＷ全体を紫外線照射処理の必要領域とし、ビアホールが形成されている領域とビアホールが形成されていない領域とで、紫外線の照射光量を変化させるようにしてもよい。これにより、ビアクリーンネスとワークＷ表面の粗さ調整とを分けてコントロールすることができる。
さらに、上記実施形態においては、光源１１の異常を検出する異常検出部を設けてもよい。異常検出部により光源１１に非発光部分があることを検出した場合、光源移動機構３５により光源１１をずらし、正常な発光部分を用いて紫外線照射処理を行うようにしてもよい。この場合、プロセスの冗長性を実現することができ、光源１１の交換、メンテナンスを少なくすることができる。
【符号の説明】
【００４８】
１０…光照射部、１１…光源、１４…アライメントカメラ、１８…光源支持体、２０…処理部、２１…ステージ、３１…電源、３３…ガス供給部、３４…処理部移動機構、３５…光源部移動機構、４０…制御部、１００…紫外線処理装置、２００…総合システム管理部、Ｓ…スミア、ＶＨ…ビアホール
【図１】
2019197931.tif 000004
【図２】
2019197931.tif 000005
【図３】
2019197931.tif 000006
【図４】
2019197931.tif 000007
【図５】
2019197931.tif 000008
【図６】
2019197931.tif 000009